(57)【要約】【課題】本考案は、毛髪やゴミ等が一箇所で固まった状態で捕集可能とした排水口目皿及びこのようなに排水口目皿を備えた排水口を提供することを目的とするものである。【解決手段】弾性変形可能な構成とされたシート状の目皿本体２と、この目皿本体２の概ね２分の１の大きさとされると共に、目皿本体２の略中央に形成された領域４内のみに穿孔された複数の孔３とを備える。【選択図】図１
0003208463.tif 000002
【実用新案登録請求の範囲】
【請求項１】
弾性変形可能な構成とされたシート状の目皿本体と、
該目皿本体の概ね２分の１の大きさとされると共に、同目皿本体の略中央に形成された領域内のみに穿孔された複数の孔とを備える
排水口目皿。
【請求項２】
前記孔が複数の同心円状に配列された
請求項１に記載の排水口目皿。
【請求項３】
前記孔の直径が略５ｍｍとされると共に、前記領域に対する同それぞれの孔の開口割合が略１０分の１とされた
請求項１に記載の排水口目皿。
【請求項４】
排水口の開口端内に周設された目皿受け部と、
該目皿受け部に配置された弾性変形可能な構成とされたシート状の目皿本体と、
該目皿本体の概ね２分の１の大きさとされると共に、同目皿本体の略中央に形成された領域内のみに穿孔された複数の孔とを備える
排水口。
【請求項５】
弾性変形可能な塩化ビニールで形成されたシート状の目皿本体が、
前記目皿本体の半径の２分の１を半径とする同目皿本体中央の領域内に設けられ、内径５ｍｍの３３個の孔を有し、前記各孔は、同目皿本体中心に形成された１つの孔を中心として、８個の孔が互いに近接し等間隔に配列された同心円状の第１の孔列と、該第一列の外側の領域に１６個の孔が互いに近接し等間隔に配列された同心円状の第２の孔列と、該第二列の外側の領域に８個の孔が前記第１の孔列及び前記第２の孔列よりも隣接する孔との間隔が広く空けられ、等間隔に配列された同心円状の第３の孔列とにより構成された排水領域と、
前記目皿本体の外縁と排水領域の間の前記孔が形成されていない領域である回流領域とを備える
排水口目皿。
【考案の詳細な説明】
【技術分野】
【０００１】
本考案は、排水口目皿及び排水口に関する。詳しくは、浴槽等の排水口に設置されるゴミ、あるいは毛髪等を捕集する排水口目皿及びこのようなに排水口目皿を備えた排水口に係るものである。
【背景技術】
【０００２】
従来、浴室等の排水口には、排水中の毛髪等による下流の排水管の目詰まりを防止するために、平坦な面に複数の目穴が穿設された捕集ネットを備えたものが知られている。
【０００３】
しかし、捕集ネット面が平坦である故に、目皿全面に濡れた毛髪やゴミ等が貼り付いて、清掃時に剥がれ難いことが多かった。
【０００４】
また、上端が開口状とされた網目状のカゴタイプでは、網目に毛髪がからみつき易く、その為、ますますゴミが溜まり水の流れが悪くなるために、頻繁にゴミや毛髪を取り除かなければならない。
【０００５】
このような清掃時の手間を省くために目皿に貼付する使い捨て目皿カバーが開発されている。
【０００６】
ここで、この種の排水目皿用のカバーとして、例えば特許文献１に記載されたものが知られている。
具体的には、図５に示すように、目皿カバー１０１は、排水口目皿１０２の大きさと略同一のプラスチック、耐水性紙又は金属製の略円形の薄いシート状で、複数の孔１０３を有した構成とされている（図５（Ａ）参照）。
【０００７】
このような構成の目皿カバー１０１は、薄いシート状物なので、排水時には、排水口１０４に吸い着き、排水口１０４との接着を目的とする接着剤や部材を必要とせず、毛髪等の異物を捕獲することができる（図５（Ｂ）参照）。
【０００８】
また、目皿カバー１０１は使用の都度使い捨てることができるので排水口目皿１０２を洗浄する必要性がない。
【先行技術文献】
【特許文献】
【０００９】
【特許文献１】実用新案登録第３０３８６０６号公報
【考案の概要】
【考案が解決しようとする課題】
【００１０】
しかしながら、前記特許文献１に記載された考案では、形状、あるいは孔の大きさや孔の配置に合わせた目皿カバーで目皿の孔の位置に合わせて取り付ける必要性があり、そのために目皿の形態に合わせて目皿カバーの購入しなければならない。
【００１１】
また、目皿の孔の位置に目皿カバーの孔を合せて取り付けるのに手間が掛かり、合せた後でも、水量、水圧、あるいは水流は一定ではなく、状況の変化で目皿カバーがずれたり、剥がれたりすることが多々ある。
【００１２】
また、目皿カバーは使い捨てであるために、毛髪やゴミ等の捕集と共に、新たなゴミを生ずることになる。
【００１３】
従って、目皿カバーを必要とせず、毛髪やゴミ等のみを容易に取り外すことができる目皿の開発が望まれている。
【００１４】
本考案は、以上の点に鑑みて創案されたものであって、毛髪やゴミ等が一箇所で固まった状態で捕集可能とした排水口目皿及びこのようなに排水口目皿を備えた排水口を提供することを目的とするものである。
【課題を解決するための手段】
【００１５】
上記の目的を達成するために、本考案を適用した排水口目皿は、弾性変形可能な構成とされたシート状の目皿本体と、該目皿本体の概ね２分の１の大きさとされると共に、同目皿本体の略中央に形成された領域内のみに穿孔された複数の孔とを備える。
【００１６】
ここで、弾性変形可能な構成とされたシート状の目皿本体によって、一時的に変形しても直ぐに元の形状に復元することが可能となる。具体的に、例えば、塩化ビニール等の合成樹脂板で形成することで目皿本体の取付け、あるいは圧や水流により一時的に変形しても直ぐに復元することが可能となる。
【００１７】
また、目皿本体の概ね２分の１の大きさとされると共に、目皿本体の略中央に形成された領域内のみに穿孔された複数の孔とを備えることによって、目皿本体上で渦巻き流を生起させることができる。これにより、例えば、排水に混じった毛髪等が常に中心位置まで運ばれて複数の孔上に集積可能となる。
【００１８】
また、孔が複数の同心円状に配列された場合には、渦巻き流の流れに応じて孔が配列されることで排水口への排水がスムーズに行なうことが可能となる。
【００１９】
また、孔の直径が略５ｍｍとされると共に、領域に対するそれぞれの孔の開口割合が略１０の１とされた場合には、孔を有する領域と目皿本体の外周縁との間で渦巻き流を生起させて目皿本体の中央部で排水を均一、かつスムーズに行うことが可能となる。
【００２０】
また、上記の目的を達成するために、本考案を適用した排水口は、排水口の開口端内に周設された目皿受け部と、該目皿受け部に配置された弾性変形可能な構成とされたシート状の目皿本体と、該目皿本体の概ね２分の１の大きさとされると共に、同目皿本体の略中央に形成された領域内のみに穿孔された複数の孔とを備える。
【００２１】
ここで、排水口の開口端内に周設された目皿受け部によって、目皿本体を排水口の開口端に容易に取付けることが可能となる。具体的には、例えば、風呂場等の床に設けられた排水口の開口端に床面から上面が突出しない状態で容易に取り付けることが可能となる。
【００２２】
また、弾性変形可能な構成とされたシート状の目皿本体によって、一時的に変形しても直ぐに元の形状に復元することが可能となる。具体的に、例えば、塩化ビニール等の合成樹脂板で形成することで目皿本体の取付け、あるいは圧や水流により一時的に変形しても直ぐに復元することが可能となる。
【００２３】
また、目皿本体の概ね２分の１の大きさとされると共に、同目皿本体の略中央に形成された領域内のみに穿孔された複数の孔とを備えることによって、目皿本体上で渦巻き流を生起させることができる。これにより、例えば、排水に混じった毛髪等が常に中心位置まで運ばれて複数の孔上に集積可能となる。
【考案の効果】
【００２４】
本考案の排水口目皿によれば、目皿の中央付近に毛髪やゴミ等が一箇所で固まった状態で捕集可能となる。
【００２５】
また、本考案の排水口によれば、目皿の中央付近に毛髪やゴミ等が一箇所で固まった状態で捕集されることで目皿を取り外すことなく毛髪やゴミ等の除去が容易に行なえる。
【図面の簡単な説明】
【００２６】
【図１】本考案を適用した排水口目皿の一例を説明するための平面模式図である。
【図２】本考案を適用した排水口目皿の一例を説明するための断面模式図である。
【図３】本考案を適用した排水口目皿の一例の作用状態を説明するための平面模式図である。
【図４】本考案を適用した排水口の一例を説明するための断面模式図である。
【図５】従来の排水口目皿カバーの一例を説明するための模式図である。
【考案を実施するための形態】
【００２７】
以下、本考案の実施の形態を図面を参酌しながら説明し、本考案の理解に供する。
【００２８】
＜第１の実施の形態＞
図１は本考案を適用した排水口目皿の一例を説明するための平面模式図、図２は本考案を適用した排水口目皿の一例を説明するための断面模式図である。
【００２９】
ここで示す排水口目皿１は、例えば、弾性変形可能な塩化ビニールで形成されると共に、その直径が約１０２ｍｍ、厚さが２ｍｍの円板形状の目皿本体２と、この目皿本体２の中央に複数の孔３を有する領域４とから構成されている。
【００３０】
ここで、領域４は、目皿本体２の半径Ｒ１の２分１の半径Ｒ２とされた円形の領域４内に、内径約５ｍｍの孔３が３３個の穿孔された構成とされている。
【００３１】
また、孔３は、目皿本体２の中心に穿孔された孔３を中心に同心円状に複数配列された孔３が配置されている。
【００３２】
これにより、複数の孔３を有する領域４の周囲には、水の流れを阻害しない回流領域５が形成された構成とされている。
【００３３】
ここで、図３に示すように、目皿本体２の外周縁より流れ込む排水Ａは、回流領域５面を周回することで図中Ｂ矢印方向への渦巻き流が生起される。
【００３４】
この渦巻き流にはゴミや毛髪等が混じっており、目皿本体２の中心、即ち領域４内へ運ばれる。
【００３５】
そして、領域４内に進入する排水Ａは複数の孔３内へ流れ込むことでゴミや毛髪等のみが領域４上に残された状態となる。
【００３６】
このようにして、目皿本体２内へ流れ込む排水Ａは、回流領域５上で渦巻き流が生起されると共に、領域４内の複数の孔３から排水されることで毛髪Ｃが領域４上に丸くまとまり集積される。
【００３７】
更に、排水の都度、毛髪は洗われるのできれいな状態となり掴み易く、衛生かつ、容易に廃棄することができる。
【００３８】
なお、本実施例では、複数の孔を同心円状に配列するものであるが、必ずしも同心円状に配列する必要性はない。
【００３９】
例えば、領域内で等間隔に配置される、あるいはランダムに配置される構成であっても構わないが、領域内に進入した水がスムーズに排水されるという点において同心円状に配列された構成とすることが望ましい。
【００４０】
また、本実施例では、孔の直径が略５ｍｍとされると共に、領域に対するそれぞれの孔の開口割合が略１０の１とするものであるが、必ずしもこのような構成とする必要性はない。
【００４１】
例えば、孔の直径が５ｍｍ超、あるいは５ｍｍ未満であっても構わないが、５ｍｍを大きく超える場合には毛髪やゴミ等が排水管に流れ込むこととなり、また、５ｍｍ未満の場合には排水に支障をきたす恐れがあり、孔の直径を略５ｍｍとすることが望ましい。
【００４２】
また、孔の開口割合が領域の略１０の１でなくとも構わないが、領域内に渦巻き状態で流れ込む水の排水をスムーズに行ない、かつ毛髪やゴミ等の捕集を確実にするという点においては領域に対するそれぞれの孔の開口割合が略１０の１とすることが望ましい。
【００４３】
また、本実施例では、目皿本体を塩化ビニール等の合成樹脂素材で形成されるが、必ずしもこのような合成樹脂素材で形成する必要性はない。
【００４４】
例えば、弾性変形可能な材料であれば金属材料等いかなる素材であっても構わないが撥水性があり、かつ衛生的な合成樹脂素材により形成することが望ましい。
【００４５】
また、本実施例では、領域内の孔の数を３３個とするものであるが、必ずしも３３個とする必要性はない。
【００４６】
例えば、孔の数が３３個超、あるいは３３個未満であっても構わないが、孔の直径を５ｍｍとした場合に領域内に渦巻き状態で流れ込む水の排水をスムーズに行うという点においては３３個とすることが望ましい。
【００４７】
以上の構成よりなる本考案の排水口目皿１では、複数の孔３を有する領域４周囲の回流領域５が形成されることで渦巻き流を生起させることが可能となる。
【００４８】
これにより、例えば水に混じった毛髪等が渦巻き流で丸く纏まり、汚れは排水の都度流し出されるので毛髪は常に洗われた状態となる。
【００４９】
従って、毛髪は丸く固まった状態で、複数の孔が穿孔された領域上に残置されることで掴んで捨てることが可能となる。
【００５０】
また、排水口目皿を弾性変形可能な材料、具体的には塩化ビニールで形成することで、取っ手が無くても例えば、排水口への取付け、あるいは取り外しの際に簡単に手で掴むことが可能となる。
【００５１】
従って、取っ手を付けなくて済むことで、取っ手を付けることによる取っ手へのゴミの付着を防止することが可能となる。
＜第２の実施の形態＞
図４は本考案を適用した排水口の一例を説明するための断面模式図である。
【００５２】
ここで示す排水口６は、浴室等の床７面に環状の目皿受け部８が取付けられている。
【００５３】
この目皿受け部８には、床７内に配管された排水管９が連通状に接続されている。そして、目皿受け部８に排水口目皿１の円周縁が載せられることで排水口６に排水口目皿１が取付け可能な構成とされている。
【００５４】
ここで、排水口目皿１は、前記図１及び図２において詳述したように、例えば、弾性変形可能な塩化ビニール材で形成されると共に、その直径が約１０２ｍｍ、厚さが２ｍｍの円板形状の目皿本体２と、この目皿本体２の中央に複数の孔３を有する領域４とから構成されている。
【００５５】
ここで、領域４は、目皿本体２の半径Ｒ１の２分１の半径Ｒ２とされた円形の領域４内に、内径約５ｍｍの孔３が３３個の穿孔された構成とされている。
【００５６】
また、孔３は、目皿本体２の中心に穿孔された孔３を中心に同心円状に複数配列された孔３が配置されている。
【００５７】
これにより、複数の孔３を有する領域４の周囲には、水の流れを阻害しない回流領域５が形成された構成とされている。
【００５８】
ここで、床７面に落ちた水は排水口６へと集水され、前記図３において詳述したように、目皿本体２の外周縁より流れ込む排水Ａは、回流領域５面を周回することで図中Ｂ矢印方向への渦巻き流が生起される。
【００５９】
そして、領域４内に進入する排水Ａは複数の孔３内へ流れ込むことでゴミや毛髪等のみが領域４上に残された状態となる。
【００６０】
このようにして、目皿本体２内へ流れ込む排水Ａは、回流領域５上で渦巻き流が生起されると共に、領域４内の複数の孔３から排水管９内に流されることで毛髪Ｃが領域４上に丸くまとまり集積される。
【００６１】
このようにして、目皿本体２内へ流れ込む排水Ａは、回流領域５上で渦巻き流が生起されると共に、領域４内の複数の孔３から排水されることで毛髪が領域４上に丸くまとまり集積される。
【００６２】
以上の構成よりなる本考案の排水口では、例えば、浴室の床面に開口される目皿受け部８に排水口目皿１を取り付けることで床面に流れ落ちる水は排水口目皿１へと集水される。
【００６３】
ここで、目皿本体２の複数の孔３を有する領域４周囲の回流領域５が形成されることで渦巻き流を生起させることが可能となる。
【００６４】
これにより、例えば水に混じった毛髪等が渦巻き流で丸く纏まり、汚れは排水の都度流し出されるので毛髪は常に洗われた状態となる。
【００６５】
従って、毛髪は丸く固まった状態で、複数の孔が穿孔された領域上に残置されることで掴んで捨てることが可能となる。
【００６６】
また、目皿受け部に取付られた排水口目皿を取り外す場合には、目皿本体の中央付近を軽く押されることで周縁部が目皿受け部より浮き上がり容易に取り外すことが可能となる。
【００６７】
また、排水口目皿を塩化ビニール等の合成樹脂板で形成することで排水時の水圧で歪んでも直ぐに元の形状に戻ることで支障なく排水を行うことが可能となる。
【００６８】
また、排水口への取付け、あるいは取り外しの際に目皿本体の周縁部を捲るようにして簡単に手で掴むことが可能となる。
これにより、取っ手を付けなくて済むために、取っ手を付けることによるゴミの付着を防止することが可能となる。
【符号の説明】
【００６９】
１        排水口目皿
２        目皿本体
３        孔
４        領域
５        回流領域
６        排水口
７        床
８        目皿受け部
９        排水管
【図１】
0003208463.tif 000003
【図２】
0003208463.tif 000004
【図３】
0003208463.tif 000005
【図４】
0003208463.tif 000006
【図５】
0003208463.tif 000007